(57)【要約】  【課題】  ホログラフ照準を小火器に非常に迅速に着脱できる安全で簡単な取付け機構。  【解決手段】  一端を蟻ホゾ溝及び蟻ホゾの手段により小火器の横方向の固定部分に固定された支持体から成り、支持体の他端にはホログラフ照準を支持させ、支持体の他端が小火器の銃身の上方に横たわるような形状に支持体を形成させたことを特徴とするホログラフ照準を小火器に取付けるための取付け機構。【選択図】    図３
2004271172.tif 000002
【特許請求の範囲】
【請求項１】
可動スライドを有する自動ピストル、オーバーおよびアンダーショットガンのような照準軸線を有する小火器にホログラフ照準を取付けるための取付け機構において、一端に銃身の銃口端の近傍において小火器に対して横方向から固定するための手段を備えた支持体（７，３０）から構成し、支持体の他端にはホログラフ照準（６，３３）を支持させ、ホログラフ照準を小火器の照準軸線上に位置させるためにホログラフ照準（６，３３）を支持する他端が小火器の上方に横たわる形状に支持体を形成したことを特徴とするホログラフ照準の取付け機構。
【請求項２】
小火器には固定部上に横方向の蟻ホゾ溝（５，２３）を備え、支持体（７，３０）の対応する端部には蟻ホゾ溝（５，２３）に挿入させるようにした帯片（８，２９）を備えると共に蟻ホゾ溝内で帯片を固定するための固定手段（１０，３４）を備えたことを特徴とする請求項１に記載の小火器にホログラフ照準を取り付けるための取付け機構。
【請求項３】
小火器には横方向の固定部に帯片（２２）を備え、該帯片（２２）には蟻ホゾ溝（２３）とネジ（２５）を固定するための孔（２４）とを備えたことを特徴とする請求項２に記載の小火器にホログラフ照準を取り付けるための取付け機構。
【請求項４】
蟻ホゾ溝（２３）が当接部（２６）で終端することを特徴とする請求項２に記載の小火器にホログラフ照準を取り付けるための取付け機構。
【請求項５】
当接部（２６）が小火器の銃身の銃口端と同じ端部にあることを特徴とする請求項４に記載の小火器にホログラフ照準を取り付けるための取付け機構。
【請求項６】
帯片（２９）には横方向の蟻ホゾ溝（５，２３）の底に対して支持する錠止ネジ（３４）を螺入させるネジ孔を備えたことを特徴とする請求項２に記載の小火器にホログラフ照準を取り付けるための取付け機構。
【請求項７】
蟻ホゾ溝（５，２３）の底が溝内における帯片の錠止位置において錠止ネジ（３４）の端部を受容するようにした座ぐり面（３５）を備えたことを特徴とする請求項６に記載の小火器にホログラフ照準を取り付けるための取付け機構。
【請求項８】
帯片（２２）が当接部（２６）と反対側の端部において傾斜路（２７）で終端することを特徴とする請求項３および４に記載の小火器にホログラフ照準を取り付けるための取付け機構。
【発明の詳細な説明】
【技術分野】
【０００１】
本発明は、小火器、特にオーバーおよびアンダーショットガン、拳銃または可動スライドを有する自動ピストルのごとき小火器にホログラフ照準を取付けるための取付け機構に関するものである。小火器の銃身の銃口端にホログラフ照準を取付けることは射撃を容易にするものと認められており、前記照準は小火器の照準軸線上、すなわち、後方照準から前方照準に延伸する仮想線上にあるか、または単にショットガンのリブに対応する仮想線上にある。
【背景技術】
【０００２】
オーバーおよびアンダーショットガンに関して、銃身（バレル）はスペーサによって結合され、そして小火器の上方銃身上にホログラフ照準を取付けるためにリブは除去されるかまたは少なくとも変形されねばならない。
【０００３】
可動スライドを有する自動ピストルに関して、従来技術のものは照準が取付けられているレールを支持するクランプを備えており、該クランプはスライドの反対側に配置されかつスライドに螺合される２つの分岐部を有している。
【発明の開示】
【発明が解決しようとする課題】
【０００４】
この種の取付け台は複雑でかつ重く、そしてクランプの取り外しは、射撃手がホログラフ照準を迅速に取り外す必要がある場合に長い時間を必要とする。
【０００５】
本発明の目的は、非常に安全で、銃を変形することなくホログラフ照準をオーバーおよびアンダーショットガンまたは拳銃に非常に迅速に取り付けることができそしてホログラフ照準を容易にかつ迅速に取り外すことができる非常に簡単な取付け機構を提供することにある。
【課題を解決するための手段】
【０００６】
本発明による取付け機構はオーバーおよびアンダーショットガンまたは可動スライドを有する自動ピストルのごとき照準軸線を有する小火器用のもので、該取付け機構は一端に銃身の銃口端の近傍において小火器に対して横方向に固定するための手段を備えた支持体から成り、支持体の他端にはホログラフ照準を支持させ、ホログラフ照準を小火器の照準軸線上に位置させるためホログラフ照準を支持する他端が小火器の上方に横たわる形状に支持体を形成させたことを特徴とする。かくして、ホログラフ照準はリブを変形することなしにオーバーおよびアンダーショットガンに取付けることができそして可動スライドを有する自動ピストルの場合に可動スライドはピストルが発射される毎に自由に動くことができる。
【０００７】
本発明の１つの構造的特徴によれば、小火器は固定部上に横方向の蟻ホゾ溝を有し、支持体の対応する端部は前記蟻ホゾ溝に挿入させるようにした帯片を備えると共に前記溝内で帯片を固定するための固定手段を設けている。
【０００８】
これは簡単で安全かつ迅速な取付け機構を提供でき、該取付け機構は所望ならば非常に迅速に取外すことができる。
【０００９】
本発明の１つの変形例において、取付け機構は小火器の横方向の固定部分に帯片を備え、該帯片には蟻ホゾ溝およびネジを固定するための孔を備えている。
【００１０】
蟻ホゾ溝は好ましくは当接部で終端させてある。
【００１１】
当接部は小火器の銃身の銃口端と同一の端部に配置させることができる。これは可動スライドを有する自動ピストルの場合にとくに利点があり、他の場合ではスライドの各復帰運動において支持体が移動する危険がある場合に特別な利点がある。
【００１２】
本発明の１つの構造的な詳細によれば、帯片は蟻ホゾ溝の底に対して支持する錠止ネジが螺入されるネジ孔を備えている。
【００１３】
蟻ホゾ溝の底は該溝内の帯片の錠止位置に錠止ネジの端部を収容するようにした座ぐり面を有している。これは小火器に対する照準の錠止を改善する。
【００１４】
最後に、帯片は当接部と反対側の端部において傾斜路で終端しており、これは溝内への帯片の挿入を容易にする。
【００１５】
本発明を添付図面に示した特別な実施例に関して次に詳細に説明する。
【発明を実施するための最良の形態】
【００１６】
図１および図２は散弾銃（ショットガン）の上方銃身１および下方銃身２を示し、上方銃身１は通気機構を構成できるリブ３を備えている。
【００１７】
銃身１および２は銃口端においてスペーサ４によって接続され、そのスペーサ４の銃口端に銃身１および２の銃口端と同一の端部において閉鎖されている蟻ホゾ溝５を備えている。
【００１８】
ホログラフ照準６はネジ１１によって円弧形状の支持体７の一端に固定され、その支持体７の他端は溝５に嵌合させるようにした蟻ホゾ形状の帯片８にネジ１２によって固定されている。
【００１９】
帯片８は溝５内に帯片８を固定するためにネジ１０を備えている。
【００２０】
取り付けは非常に簡単でかつホログラフ照準６はリブ３を変形することなしに取り付けられ得ることが明らかである。
【００２１】
取り外しは帯片８を離脱させるためネジ１０を単に弛めることによって迅速かつ簡単に行なわれる。
【００２２】
この実施例において、蟻ホゾ溝５はスペーサ４内に備えられているが、しかし蟻ホゾ溝がある場所にかつ自動ピストルに関して次に説明する実施例と同一の方法においてスペーサ４に固定される簡単な帯片を設けることができる。
【００２３】
図３および図４は従来の自動ピストルを示し、該自動ピストルは摺動フレーム１５と、握り１６と、引き金（トリガ）１７と、握り１６のハウジングに挿入される弾倉（マガジン）１８と、銃身（バレル）１９と、ピストルが発射される毎に開口部２１を通ってカートリッジケースを放出するための可動スライド２０とから構成されている。
【００２４】
本発明によれば、帯片２２は銃身１９の銃口端の近傍で摺動フレーム１５の１側に固定されかつその底部に孔２４を穿設させた蟻ホゾ溝２３を有しており、該孔２４にはネジ２５が貫通して摺動フレーム１５に形成したネジ穴に螺入される。
【００２５】
帯片２２の蟻ホゾ溝２３は一端において当接部２６で終端しかつ他端で傾斜路２７において終端している。
【００２６】
溝２３は円弧形状の支持体３０の一端に固定される帯片２９を収容するようになっており、支持体３０の他端は可動スライド２０の上方に横たわるようになっている。ホログラフ照準３３はネジ３２によって支持体３０の端部に固定されている。
【００２７】
帯片２９はネジ孔３７を有し、このネジ孔３７を通してネジ３４が螺入され、ネジ３４は当接部２６に対して溝２３内の帯片２９を固定するために溝２３の座ぐり面３５と協働する。
【００２８】
傾斜路２７は溝２３内に帯片２９を挿入するのを容易にする。帯片２９は可動スライドが戻るとき、帯片２９が当接部２６に対して支持するため、溝２３と完全に整列する。
【００２９】
最後に、取付け台はネジ２５を弛めることによってピストルから容易に取外すことができる。
【００３０】
ピストルが発射される毎に可動スライドの移動を妨害するのを阻止するために、端部３８は切欠部３９を有し、該切欠部２９は前方照準３６が支持体３０の端部３８の下側を通過できるように備えられている。
【００３１】
この種の取付け台は簡単でかつ重量が軽い。
【００３２】
蟻ホゾ溝は製造中に摺動フレイム１５に直接形成されることができる。
【００３３】
本発明は上述しかつ図示した実施例に限定するものではなく、本発明の範囲から逸脱することなく各種の変形及び変更を行うことができる。
【図面の簡単な説明】
【００３４】
【図１】本発明による取付け機構の分解斜視図である。
【図２】本発明による取付け機構の正面図である。
【図３】本発明による取付け機構を備えている自動ピストルの斜視図である。
【図４】本発明による取付け機構の分解斜視図である。
【符号の説明】
【００３５】
５      蟻ホゾ溝
６      ホログラフ照準
７      支持体
８      帯片
１０    ネジ
２２    帯片
２３    蟻ホゾ溝
２４    孔
２５    ネジ
２６    当接部
２７    傾斜路
２９    帯片
３０    支持体
３３    ホログラフ照準
３４    ネジ
３５    座ぐり面
３６    照準
３７    ネジ孔
【図１】
2004271172.tif 000003
【図２】
2004271172.tif 000004
【図３】
2004271172.tif 000005
【図４】
2004271172.tif 000006